(57)【要約】【課題】ディスプレイ付きの本体から回動して開閉できるアームに対応した遮光フードを提供する。【解決手段】ディスプレイ５付きの本体２・３と、本体２・３から回動して開閉可能なアーム４とに取り付け可能な遮光フード１０であって、本体２・３に対するアーム４の開閉動作に連動して展開・折り畳み動作可能で、展開状態においてディスプレイ５に対する遮光を行う折り畳み式遮光部１３を備える。具体的には、折り畳み式遮光部１３は、本体２・３に対するアーム４の回動軸を支点に回動する羽板１４を重ねて構成される。本体２・３に取り付け可能な本体側取付部１１と、アーム４に取り付け可能なアーム側取付部１２と、を備える。アーム４は本体２・３の周囲を囲む枠状で、アーム側取付部１２は、枠状アーム４の周囲を囲んで枠状アーム４に装着する枠状ホルダーである。【選択図】図６
2012161055.tif 000002
【特許請求の範囲】
【請求項１】
ディスプレイ付きの本体と、前記本体から回動して開閉可能なアームとに取り付け可能であって、
前記本体に対する前記アームの開閉動作に連動して展開・折り畳み動作可能で、展開状態において前記ディスプレイに対する遮光を行う折り畳み式遮光部を備えることを特徴とする遮光フード。
【請求項２】
前記折り畳み式遮光部は、前記本体に対する前記アームの回動軸を支点に回動する羽板を重ねて構成されることを特徴とする請求項１に記載の遮光フード。
【請求項３】
前記本体に取り付け可能な本体側取付部と、
前記アームに取り付け可能なアーム側取付部と、を備えることを特徴とする請求項１または２に記載の遮光フード。
【請求項４】
前記アームは前記本体の周囲を囲む枠状で、
前記アーム側取付部は、前記枠状アームの周囲を囲んで前記枠状アームに装着する枠状ホルダーであることを特徴とする請求項３に記載の遮光フード。
【請求項５】
前記本体側取付部は、前記本体の前記ディスプレイの背面側に当接する板状カバーであることを特徴とする請求項３に記載の遮光フード。
【請求項６】
ディスプレイ付きの本体と、
前記本体から回動して開閉可能なアームと、
請求項１から５のいずれか一項に記載の遮光フードを備えることを特徴とする電子機器。
【発明の詳細な説明】
【技術分野】
【０００１】
本発明は、ディスプレイ用の遮光フードと、その遮光フードを備える電子機器に関する。
【背景技術】
【０００２】
例えばデジタルカメラ等の液晶ディスプレイは、バックライト手段を備えた透過方式を採用しているため、昼間の野外など照度の大きい環境下では、外光が液晶ディスプレイの表示画面に入射して表面で反射し、表示画面に表示される視覚情報の観察が困難となる。
この対策として、表示画面への上方からの入射光を遮る上部壁面部材と、表示画面への左右からの入射光を遮る一対の側部壁面部材とからなる表示画面遮光部材を、折り畳み可能に形成したディスプレイ用遮光フードがある（特許文献１参照）。
また、展開・収納可能な液晶ディスプレイの表示画面への不要な外光を遮断するための折り畳み式遮光フードを、装置本体の側面内に設けたものもある。
さらに、折り畳み式遮光フードを、液晶ディスプレイに巻着した装着部に、面状ファスナによって着脱自在にしたものもある。
【先行技術文献】
【特許文献】
【０００３】
【特許文献１】特開２００３−８４６８２号公報
【発明の概要】
【発明が解決しようとする課題】
【０００４】
しかし、いずれの遮光フードも一般的な構造のカメラに装着するもので、例えば本体から回動して開閉できるアーム付きのカメラには装着できない。
【０００５】
本発明の課題は、ディスプレイ付きの本体から回動して開閉できるアームに対応した遮光フードを提供することである。
【課題を解決するための手段】
【０００６】
以上の課題を解決するため、本発明は、ディスプレイ付きの本体と、前記本体から回動して開閉可能なアームとに取り付け可能であって、前記本体に対する前記アームの開閉動作に連動して展開・折り畳み動作可能で、展開状態において前記ディスプレイに対する遮光を行う折り畳み式遮光部を備える遮光フードを特徴とする。
【発明の効果】
【０００７】
本発明によれば、ディスプレイ付きの本体から回動して開閉できるアームに遮光フードを装着して開閉することができる。
【図面の簡単な説明】
【０００８】
【図１】本発明を適用した電子機器の一実施形態の構成を示すもので、アーム付きのカメラの斜視図である。
【図２】図１のアームを開いた状態を示した図である。
【図３】本発明を適用した折り畳み式遮光フードの展開状態を示した斜視図である。
【図４】図３の回動軸部分の拡大図である。
【図５】図１のカメラに図３の折り畳み式遮光フードを装着して折り畳み状態を示した図である。
【図６】図５の折り畳み式遮光フードの展開状態を示した図である。
【発明を実施するための形態】
【０００９】
以下、図を参照して本発明を実施するための形態を詳細に説明する。
図１及び図２は本発明を適用した電子機器の一実施形態の構成としてアーム付きのカメラ１を示すもので、２は表示筐体、３はレンズ筐体、４はアーム、５は液晶ディスプレイ、６はシャッターボタン、７はレンズである。
【００１０】
図示のように、カメラ１は、液晶ディスプレイ５及びその隣に並ぶシャッターボタン６を有する表示筐体２と、撮影レンズ７を有するレンズ筐体３と、これら本体を構成する二つの表示筐体２及びレンズ筐体３の周囲を覆うコ字型のフレーム形状に形成したアーム４とから構成されている。
【００１１】
そして、小さなレンズ筐体３に対し大きな表示筐体２とアーム４が二軸ヒンジ部を介してそれぞれ回転可能に結合されている。
すなわち、レンズ筐体３に対して、第１ヒンジ部を介して表示筐体２が回転可能に結合されるとともに、第２ヒンジ部を介してアーム４が回転可能に結合されている。
二軸ヒンジ部は、レンズ筐体３に表示筐体２を結合する第１ヒンジ部の回転軸線と、レンズ筐体３にアーム４を結合する第２ヒンジ部の回転軸線が互いに直交している。
【００１２】
従って、レンズ筐体３に対し表示筐体２が第１ヒンジ部の回転軸線を中心に回転する。
また、図２に示すように、レンズ筐体３及び表示筐体２に対しアーム４が第２ヒンジ部の回転軸線を中心に回転する。
【００１３】
具体的には、アーム４は２７０度回転し、使用時にアーム４の角度を変えることで様々なスタイルで撮影ができる。
例えば、アーム４を開いて三脚スタンドのように立てて撮影したり、アーム４のコ字型フレーム形状を活かして壁面などのフックに掛けて撮影したり、アーム４をグリップしてカムコーダーのような持ち方でも撮影ができる（図２参照）。
【００１４】
図３は本発明を適用した折り畳み式遮光フード１０の展開状態を示したもので、１１はカバー、１２はホルダー、１３は折り畳み式遮光部、１４は羽板、１５は回動軸である。
【００１５】
図示のように、折り畳み式遮光フード１０は、本体側取付部となるカバー１１と、アーム側取付部となるホルダー１２と、これらカバー１１及びホルダー１２に渡って取り付けられる一対の折り畳み式遮光部１３とから構成される。
【００１６】
すなわち、カバー１１は、図１に示した表示筐体２及びレンズ筐体３の周囲にアーム４を重ねた状態のカメラ１の表示筐体２の背面に当接する板状部材により形成されている。
また、ホルダー１２は、コ字型フレーム形状のアーム４の周囲を囲んで保持する溝を内周に有するコ字型フレーム形状の枠状部材により形成されている。
【００１７】
そして、折り畳み式遮光部１３は、細長い羽板１４を多数枚重ねて構成されるもので、その多数枚重ねた羽板１４の一端部を、板状のカバー１１の一側端部と、コ字型フレーム形状のホルダー１２の両先端部との間において、回動軸１５で結合する。
【００１８】
ここで、羽板１４は、図４に示すように、回動軸１５が貫通する穴１６の近傍において、一面側に凸部１７が形成されて、他面側に凹部１８が形成されている。
なお、コ字型フレーム形状のホルダー１２の両先端部にも凸部１７が形成される。
また、板状のカバー１１の両側端部（図示例では上下側端部）に羽板１４が接合固定される。
【００１９】
以上により折り畳み式遮光部１３は、回動軸１５を支点に羽板１４が回動して開閉し、その羽板１４の凸部１７が他の羽板１４の凹部１８に係合することで、羽板１４の開閉角度が規制され、また、羽板１４を閉じた状態では、図５のように、羽板１４を重ねて揃えた状態に整列される。
【００２０】
以上の折り畳み式遮光フード１０は、カメラ１の表示筐体２及びレンズ筐体３の背面に板状のカバー１１を当接させて、コ字型フレーム形状のホルダー１２の内周に有する溝にコ字型フレーム形状のアーム４の周囲を挿入することで、カメラ１に装着する。
この装着状態で、カメラ１のレンズ筐体３にアーム４を結合する第２ヒンジ部の回転軸線に、折り畳み式遮光部１３の羽板１４の回動軸１５の軸線が一致する。
【００２１】
図５はカメラ１に折り畳み式遮光フード１０を装着して折り畳み状態を示したもので、図示のように、表示筐体２及びレンズ筐体３とカバー１１に、アーム４及びホルダー１２が重ねられて、折り畳み式遮光部１３の羽板１４が重ねて揃えた状態に整列されている。
【００２２】
図６は折り畳み式遮光フード１０の展開状態を示したもので、レンズ筐体３及び表示筐体２に対しアーム４を開くと、図示例では、表示筐体２の背面に当接するカバー１１に対し、図示のように回動軸１５を支点として、アーム４と一体にホルダー１２が開くと同時に、上下の折り畳み式遮光部１３の多数枚重ねた羽板１４が次々に開いて展開状態となる。
このように、上下で展開状態の羽板１４により上下方向からの外光が遮光されて、液晶ディスプレイ５を良好に見ることができる。
【００２３】
以上、実施形態の折り畳み式遮光フード１０によれば、アーム４付きのカメラ１に容易に着脱できて、多数枚重ねた羽板１４を展開させることで、外光を遮光して液晶ディスプレイ５を良好に見ることができる。
また、アーム４とともに羽板１４を重ねて揃えた状態に整列できるので、携帯性に優れている。
【００２４】
（変形例）
以上の実施形態においては、カメラとしたが、本発明はこれに限定されるものではなく、カメラを備える携帯電話など他の電子機器であってもよい。
また、本体の構成、アームの形状、折り畳み式遮光部の構成等も任意であり、その他、具体的な細部構造等についても適宜に変更可能であることは勿論である。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
ディスプレイ付きの本体と、前記本体から回動して開閉可能なアームとに取り付け可能であって、
前記本体に対する前記アームの開閉動作に連動して展開・折り畳み動作可能で、展開状態において前記ディスプレイに対する遮光を行う折り畳み式遮光部を備えることを特徴とする遮光フード。
＜請求項２＞
前記折り畳み式遮光部は、前記本体に対する前記アームの回動軸を支点に回動する羽板を重ねて構成されることを特徴とする請求項１に記載の遮光フード。
＜請求項３＞
前記本体に取り付け可能な本体側取付部と、
前記アームに取り付け可能なアーム側取付部と、を備えることを特徴とする請求項１または２に記載の遮光フード。
＜請求項４＞
前記アームは前記本体の周囲を囲む枠状で、
前記アーム側取付部は、前記枠状アームの周囲を囲んで前記枠状アームに装着する枠状ホルダーであることを特徴とする請求項３に記載の遮光フード。
＜請求項５＞
前記本体側取付部は、前記本体の前記ディスプレイの背面側に当接する板状カバーであることを特徴とする請求項３に記載の遮光フード。
＜請求項６＞
ディスプレイ付きの本体と、
前記本体から回動して開閉可能なアームと、
請求項１から５のいずれか一項に記載の遮光フードを備えることを特徴とする電子機器。
【符号の説明】
【００２６】
１  カメラ（電子機器）
２  表示筐体（本体）
３  レンズ筐体（本体）
４  アーム
５  ディスプレイ
６  シャッターボタン
７  撮影レンズ
１０  遮光フード
１１  カバー（本体側取付部）
１２  ホルダー（アーム側取付部）
１３  折り畳み式遮光部
１４  羽板
１５  回動軸
１６  穴
１７  凸部
１８  凹部
【図１】
2012161055.tif 000003
【図２】
2012161055.tif 000004
【図３】
2012161055.tif 000005
【図４】
2012161055.tif 000006
【図５】
2012161055.tif 000007
【図６】
2012161055.tif 000008